(57)【要約】略∪字状であって中央が装着者の頭頸部の後ろ側に当接し左右の端部（１１）が耳上部に掛架して自身を頭部に保持する基体部（１０）と、前記左右の端部（１１）近傍のいずれもからまたはいずれかから延伸し、ＬＥＤを光源とし頭部前方向を照らす光源部（２０）と、光源部（２０）の点灯消灯を含んだ照明状態を制御する制御部（３０）と、を具備し、制御部（３０）は、基体部（１０）が装着者の起立した状態を基準として所定の俯角に至った場合に光源部（２０）を点灯させることを特徴とする医療従事者用ヘッドライト（１）。
2017126512.tif 000002
【特許請求の範囲】
【請求項１】
略∪字状であって中央が装着者の頭頸部の後ろ側に当接し左右端が耳上部に掛架して自身を頭頸部に保持する基体部と、  前記左右端近傍のいずれもからまたはいずれかから延伸し、ＬＥＤを光源とし頭部前方向を照らす光源部と、  光源部の点灯消灯を含んだ照明状態を制御する制御部と、  を具備し、  制御部は、基体部が装着者の起立した状態を基準として所定の俯角に至った場合に光源部を点灯させることを特徴とする医療従事者用ヘッドライト。 
【請求項２】
光源部には入籠状の反射鏡構造が形成されており、  ＬＥＤは、最内側の反射鏡の中に配された内側ＬＥＤと、反射鏡間に配された外側ＬＥＤとが備わり、  制御部は、内側ＬＥＤのみの点灯モードを備え、外側ＬＥＤが点灯している場合よりも光の広がりが少ない狭角光を提供可能としたたことを特徴とする請求項１に記載の医療従事者用ヘッドライト。 
【請求項３】
最内側の反射鏡から出ていく光が５０００Ｋ以上６５００Ｋ以下の色温度であるＬＥＤを内側ＬＥＤに採用し、  反射鏡間から出ていく光が２０００Ｋ以上５０００Ｋ未満の色温度であるＬＥＤを外側ＬＥＤに採用したことを特徴とする請求項２に記載の医療従事者用ヘッドライト。 
【請求項４】
反射鏡構造を収容する筐体の先端位置とＬＥＤの位置との間隔を相対的に可変に構成したことを特徴とする請求項２に記載の医療従事者用ヘッドライト。 
【請求項５】
更に、装着者の指等の接触を検知するタッチセンサを備え、  制御部は、タッチセンサにより検知された接触に基づき、内側ＬＥＤのみの点灯と、外側ＬＥＤの点灯と、を切替可能としたことを特徴とする請求項２に記載の医療従事者用ヘッドライト。 
【請求項６】
ＬＥＤは、装着時に縦に並ぶ上側ＬＥＤと下側ＬＥＤとが備わり、  上側ＬＥＤは、縦方向の広がりより横方向の広がりが大きな扁平形状の光を出射し、  下側ＬＥＤは、上側ＬＥＤの縦方向の広がりよりも狭い広がりの略円形状の光を出射し、  制御部は、上側ＬＥＤのみの点灯モードと下側ＬＥＤのみの点灯モードとを備えたことを特徴とする請求項１に記載の医療従事者用ヘッドライト。 
【発明の詳細な説明】
【技術分野】
【０００１】  本発明は、医療従事者用の耳掛け式ヘッドライトに関し、特に、相部屋にいる患者の様子を夜間に見る場合に当該患者および他の患者へのストレスを低減する医療従事者用ヘッドライトに関する。
【背景技術】
【０００２】  従来、看護師等の医療従事者は、患者の様子を夜間に観察する際に適宜ライトを用いていた。  最も簡便には、携行型のライト、具体的にはペンライトを用いる方法がある。例えば、クリップ付きペンライトやぶら下げ紐付きのペンライトが存在しており、嵩張ることなく胸ポケットに収容でき、必要なときに取り出して患者を照らすことができる。  また、文献１に開示されるように、ヘッドライトタイプも存在し、これによれば、照射方向が定まるので、姿勢計測に基づいてライトの照明状態も制御可能であり利便性が高い。【０００３】  しかしながら、従来の技術では以下の問題点があった。  まず、ペンライトについては、看護師は実際の現場では、医療機器やバインダ等を持ち合わせ、両手がふさがりがちであり、必ずしも使い勝手がよいわけではないという問題点があった。【０００４】  ヘッドライトの場合は、ハンズフリーが実現され、ペンライトのような問題点はない。しかしながら、文献１に開示されるものも含めヘッドライトは、一般的に、頭が振られたり他にぶつかったりすることを避けるため、ライトの筐体長さを短くし、事実上扁平な構成にならざるを得ない。したがって、光の広がりが大きく、例えば、口腔の様子を観察しようとすると目にも光があたり、観察対象患者にストレスを与えてしまう、という問題点があった。特に現場では、相部屋の他の患者から、夜寝ているときに光に気付いて起きてしまう（睡眠が妨げられてしまう）という意見があり、対象患者であろうとなかろうと、いずれにせよ患者にストレスを与えてしまうという問題点があった。  また、文献１では、検知角度を４０°としているが、この角度はヘッドライトの光の広がりも加味すると現実的には浅すぎる。すなわち、他の相部屋患者の睡眠を妨げない十分な角度とはいえないという問題点もあった。
【先行技術文献】
【特許文献】
【０００５】
【特許文献１】特開２０１４−１００２０３号
【発明の概要】
【発明が解決しようとする課題】
【０００６】  本発明は上記に鑑みてなされたものであって、使い勝手に優れ、患者にストレスを与えにくい医療従事者用ヘッドライトを提供することを目的とする。
【課題を解決するための手段】
【０００７】  請求項１に記載の医療従事者用ヘッドライトは、略∪字状であって中央が装着者の頭頸部の後ろ側に当接し左右端が耳上部に掛架して自身を頭頸部に保持する基体部と、前記左右端近傍のいずれもからまたはいずれかから延伸し、ＬＥＤを光源とし頭部前方向を照らす光源部と、光源部の点灯消灯を含んだ照明状態を制御する制御部と、を具備し、制御部は、基体部が装着者の起立した状態を基準として所定の俯角に至った場合に光源部を点灯させることを特徴とする。【０００８】  すなわち、請求項１にかかる発明は、患者の状態を見ようとかがんだときにライトを点灯させ、かつ、光源部の筐体長さを含めて設計自由度を高くしているため、必要以上の光の拡散が抑制可能となる。これにより、特に夜間において対象患者のみならず相部屋の他の患者に対してもストレスを低減可能となる。ハンズフリーであるので、看護師等にとっても使い勝手がよい。また、光源部が事実上目の高さにあるので、目線と光軸とが揃い、自然な使用感を得ることができる。また、後ろ掛けであるため、万一頭から外れてしまっても患者側に落ちず、この点も医療用用途として利便性に優れる。前傾姿勢にて首掛け紐が垂れ下がってしまうような、作業性に影響がでるようなこともない。バッテリーを別体とする場合でも、体の後ろからコードを引き回せばよく、作業性に影響を及ぼさなくすることができる。また、ＬＥＤを用いるので、軽量化ができ、例えばボタン電池を内蔵した製品とすることも可能である。【０００９】  俯角は、光の広がりにも依存するが、５０度以上７０度以下の所定値が好ましく、５５度以上６５度以下の所定値であることが更に好ましい。【００１０】  略Ｕ字状とは、基体部が頭の後ろ側から耳掛けにより安定的に保持される態様であれば特に限定されない。例えば、太さは一定でなくてもよい。また、耳掛け部分は耳への掛かりが良いように曲がりが伴っていてもよい。略Ｕ字状には、Ｖ字型も含まれるものとする。  光源部の基端は、基体部の左右端とは別構成のフレキシブル管として延伸する態様であってもよいし、左右端と一体であり一連に延伸する態様であってもよい。後者の場合は、基体部の左右端は概念的となるが、おおよそ耳にかかっている部分を左右端とし、それより前方を延伸箇所とする。  制御部は、点灯制御に限定されず、消灯制御をしてもよく、この他、ＬＥＤの光量や色味の変更を制御してもよい。また、ＬＥＤが複数ある場合には、制御部は、どれを点灯させるかの制御をおこなってもよい。  なお、耳上部に掛架する、とは、眼鏡のように単に掛ける他、例えばＤ字状の枠体として外耳の付け根部分に嵌め込む態様も含むものとする。【００１１】  請求項２に記載の医療従事者用ヘッドライトは、請求項１に記載の医療従事者用ヘッドライトにおいて、光源部には入籠状の反射鏡構造が形成されており、ＬＥＤは、最内側の反射鏡の中に配された内側ＬＥＤと、反射鏡間に配された外側ＬＥＤとが備わり、制御部は、内側ＬＥＤのみの点灯モードを備え、外側ＬＥＤが点灯している場合よりも光の広がりが少ない狭角光を提供可能としたことを特徴とする。【００１２】  すなわち、請求項２にかかる発明は、例えば口腔観察する際に目に光が入ってしまうことなくスポットライト的な狭角光も提供でき、利用シーンに応じた切替を可能とし、患者のストレスを更に低減させることができる。所定の俯角に至った場合の点灯（最初の点灯）を、内側ＬＥＤのみの点灯モードとする制御態様を採用してもよい。【００１３】  反射鏡は、切断した長球（回転楕円体）形状や、錐形、筒形とすることができる。長球を斜めに切断した非対称な形状として、顔から離れている側を母線の長い側として配し、遮光性を高めるようにしても良い。  入籠状とは必ずしも内側と外側の２つの反射鏡に限らずそれ以上あってもよい。また、同心とする必要はなく、形状も同じである必要はない。  反射鏡間に配された外側ＬＥＤ、とは、反射鏡が三重以上である場合は、反射鏡間にそれぞれ外側ＬＥＤを配する態様を含む。  内側ＬＥＤと外側ＬＥＤは、反射鏡内または反射鏡間にそれぞれ複数個のＬＥＤが配されていてもよい。このとき、当該複数個のＬＥＤは、かたまって配されず、反射鏡内または反射鏡間でそれぞれ分散して配されていてもよい。  狭角とは、例えば、光源部先端から３０ｃｍ離れた位置に直径７ｃｍに広がる円（立体角にして２π・０．０１３３６ステラジアン程度）とすることができる。  外側ＬＥＤが点灯している場合とは、外側ＬＥＤのみが点灯している場合であっても、外側ＬＥＤも内側ＬＥＤも点灯している場合であっても良い。【００１４】  請求項３に記載の医療従事者用ヘッドライトは、請求項２に記載の医療従事者用ヘッドライトにおいて、最内側の反射鏡から出ていく光が５０００Ｋ以上６５００Ｋ以下の色温度であるＬＥＤを内側ＬＥＤに採用し、反射鏡間から出ていく光が２０００Ｋ以上５０００Ｋ未満の色温度であるＬＥＤを外側ＬＥＤに採用したことを特徴とする。【００１５】  すなわち、請求項３にかかる発明は、内側ＬＥＤのみの点灯モードのときには、白色光に近い色味の光により、患者の顔色や尿の色、その他の、色による患者の状態知得を適正におこなうことができる。外側ＬＥＤが点灯される場合には、いわゆる、暖色系の色により患者にストレスを与えにくくすることができる。【００１６】  出ていく光とは、必ずしも光源の色温度でなく反射鏡に反射した光も含めた総合的な光（出射光）を意味する。【００１７】  請求項４に記載の医療従事者用ヘッドライトは、請求項２に記載の医療従事者用ヘッドライトにおいて、反射鏡構造を収容する筐体の先端位置とＬＥＤの位置との間隔を相対的に可変に構成したことを特徴とする。【００１８】  すなわち、請求項４にかかる発明は、装着者の目に光が入らないように位置調整ができる。光が広がりすぎないように光路を絞ることも可能となる。【００１９】  相対的に可変とは、ＬＥＤの位置は変わらず筐体全体が前後に移動する態様、ＬＥＤの位置は変わらず筐体が伸縮する態様、筐体の位置は変わらずＬＥＤの位置が前後に移動する態様などを挙げることができる。使用の態様により、筐体が軸回転することも含まれる。なお、筐体の先端方向とは、前側（視認側）をいう。筐体または筐体先端はフードまたはカバーと言い換えることもできる。【００２０】  請求項５に記載の医療従事者用ヘッドライトは、請求項２に記載の医療従事者用ヘッドライトにおいて、更に、装着者の指等��接触を検知するタッチセンサを備え、制御部は、タッチセンサにより検知された接触に基づき、内側ＬＥＤのみの点灯と、外側ＬＥＤの点灯と、を切替可能としたことを特徴とする。【００２１】  すなわち、請求項５にかかる発明は、簡便に点灯モードを切り替えることができ、操作性に優れた医療従事者用ヘッドライトを提供することができる。【００２２】  タッチセンサは、例えば、光源部の筐体に設けてもよいし、耳の位置に対応する基体部部分に設けてもよい。また、ダブルタッチ、トリプルタッチを検出し、光量変更や消灯等の機能を割り付けるようにしてもよい。【００２３】  請求項６に記載の医療従事者用ヘッドライトは、請求項１に記載の医療従事者用ヘッドライトにおいて、ＬＥＤは、装着時に縦に並ぶ上側ＬＥＤと下側ＬＥＤとが備わり、上側ＬＥＤは、縦方向の広がりより横方向の広がりが大きな扁平形状の光を出射し、下側ＬＥＤは、上側ＬＥＤの縦方向の広がりよりも狭い広がりの略円形状の光を出射し、制御部は、上側ＬＥＤのみの点灯モードと下側ＬＥＤのみの点灯モードとを備えたことを特徴とする。【００２４】  すなわち、請求項６にかかる発明は、例えば口腔観察する際に目に光が入ってしまうことなくスポットライト的な狭角光も提供でき、反対に病室全体を見渡すこともできる広角高も提供でき、利用シーンに応じた切り替えを可能とし、患者のストレスを低減させることができる。また、上側ＬＥＤは配置が上であり、扁平な広角光を提供するので、装着者の目に光が入りにくく、下側ＬＥＤは目線に沿って配置され、見たいところをスポット的に照らすことができるので、使用感の向上に寄与する。【００２５】  なお、請求項６にかかる発明に対しては、請求項３〜５に記載の要素技術を適宜採用できる。  すなわち、上側ＬＥＤと下側ＬＥＤとで色温度を変えることができる。  また、光源部の筐体の先端位置とＬＥＤの位置との間隔を相対的に可変に構成することができる。  また、タッチセンサを備え、制御部がタッチセンサにより検知された接触に基づき、下側ＬＥＤの点灯と、上側ＬＥＤの点灯と、を切替可能とすることができる。 
【発明の効果】
【００２６】  本発明によれば使い勝手に優れ、患者にストレスを与えにくい医療従事者用ヘッドライトを提供することができる。
【図面の簡単な説明】
【００２７】
【図１】実施の形態１のヘッドライトを示した斜視図である。
【図２】図１のヘッドライトを装着した場合の概要図（ａ）と、ライト部の伸縮の様子を説明した説明図（ｂ）である。
【図３】光源部の概要図である。
【図４】制御部を中心としたヘッドライトの機能ブロック図である。
【図５】作業姿勢と俯角について示した概念図である。
【図６】制御部の制御フローを示した図である。
【図７】実施の形態２のヘッドライトを示した斜視図である。
【図８】図２のヘッドライトのライト部の前側を示した斜視図と側面図である。
【発明を実施するための形態】
【００２８】＜実施の形態１＞  以下、本発明の実施の形態を図面を参照しながら詳細に説明する。実施の形態１では、左側にＬＥＤライトが備わる医療従事者用ヘッドライトについて説明する。以降では、医療従事者用ヘッドライトを単にヘッドライトと適宜称するものとする。  図１は、実施の形態１のヘッドライトの斜視図である。図２は、実施の形態１のヘッドライトを装着した場合の概要図（ａ）と、ライト部の伸縮の様子を説明した説明図（ｂ）である。なお、各図では説明の便宜上、適宜構成を省略し、また、縮尺を揃えず描画する。
【００２９】  ヘッドライト１は、基体部１０と、光源部２０と、制御部３０と、により構成される。  基体部１０は、図示したように後ろ頭に沿った略Ｕ字の形状であって、左右の端部１１は、Ｃ字状に孤を描き両耳への掛かりをよくし、全体としてヘッドライト１の頭部への保持性を高めている。
【００３０】  素材は特に限定されないが、ここでは、射出成形によるプラスチック製であり、表面に薄くラバーコートを施した表皮を設けたものとしている。これにより、装着者の頭の形状や大きさに追従するフリーサイズを実現し、かつ、ずれ落ちも防止される。
【００３１】  光源部２０は、ライト部２１と軸部２２とにより構成される。図３は、光源部の概要図である。なお、図では説明の便宜上ライト部２１を一部透視しており、また、一部厚みも描画している。
【００３２】  ライト部２１は、ＬＥＤによる光源２１１と、反射鏡２１２と、フード２１３と、を有する。  図示したように、額に設けるヘッドライトと異なり、ヘッドライト１は、光軸方向に長さをとることができ、この設計自由度の高さを利用して、入籠構造の反射鏡２１２を採用している。すなわち、反射鏡２１２は、有底の略円筒状の内側反射鏡２１２ｉと、有底の切頭錐形の外側反射鏡２１２ｏと、により構成される。ここでは、内側反射鏡２１２ｉの内側面と外側面、そして外側反射鏡２１２ｏの内側面はいずれもアルミ蒸着による鏡面仕様としており、光量損失が極力生じないようにしている（光の利用効率を高めている）。これにより、小型電源が採用でき、電源一体型ヘッドライトを実現している（ヘッドライト１の軽量化を実現しているともいえる）。なお、仕様の態様により、内側反射鏡２１２ｉ内側は鏡面仕様、内側反射鏡２１２ｉの外側面と外側反射鏡２１２ｏの内側面間は、橙色のつや消し塗装仕様とすることもできる。後述するように、暖色光によって患者へのストレスを低減するためである。
【００３３】  光源２１１は、ＬＥＤを用いており、内側反射鏡２１２ｉの底に内側ＬＥＤ２１１ｉを、反射鏡２１２間（内側反射鏡２１２ｉの外側と外側反射鏡２１２ｏの内側とに囲まれる部分）の底に２つの外側ＬＥＤ２１１ｏを配置している。
【００３４】  ここで、内側ＬＥＤ２１１ｉには日光に近い色温度のＬＥＤを採用しており、内側反射鏡２１２ｉから出ていく光が５０００Ｋ以上６５００Ｋ以下、好ましくは５０００Ｋ以上６０００Ｋ以下の色温度となるように調整している。これにより、少なくとも内側ＬＥＤ２１１ｉのみを点灯させたときには、観察対象、例えば、患者の顔色や尿の色が日中に観察するのと同様な色として知得できるようになり、好適である。
【００３５】  一方、外側ＬＥＤ２１１ｏには橙色のような暖色の色温度のＬＥＤを採用しており、反射鏡２１２間から出ていく光が２０００Ｋ以上５０００Ｋ未満、好ましくは２０００Ｋ以上３０００Ｋ以下の色温度となるように調整している。これにより、少なくとも外側ＬＥＤ２１１ｏのみを点灯させたときには、リビングルームのようないわゆるやわらかい色味の光となり、仮に他の患者が気付いてもストレスを感じさせにくいようにしている。
【００３６】  なお、ヘッドライト１では、内側反射鏡２１２ｉは長筒状であるためここから出ていく光はほぼ直進していく（広がりが狭い）。一方、外側反射鏡２１２ｏは拡径しているためここから出ていく光はある程度の広がりを有する。すなわち、反射鏡２１２をこのような入籠構造として、広角光と狭角光との切替を実現している。更に広角光は暖色系、狭角光は白色系としている。したがって、ヘッドライト１は、顔色等を見たいときはスポットライト的な指向性の高い狭角光、照らすだけで良い場合はストレスをかけにくい広角光という使い分けを可能としている。
【００３７】  なお、内側反射鏡２１２ｉからの光の広がりは、内側反射鏡２１２ｉ先端から３０ｃｍ離れた位置に直径５ｃｍ〜９ｃｍの円形光が形成されるようにすればよいが、ここでは約６ｃｍの円形光となるように設計されている。これは、内側反射鏡２１２ｉの口径ないし筒長と、内側ＬＥＤ２１１ｉの配置とを適宜調整することにより実現できる。
【００３８】  一方、外側反射鏡２１２ｏは、やや広がりをもたせており、外側反射鏡２１２ｏ先端から３０ｃｍ離れた位置に直径２０ｃｍ〜６０ｃｍの円形光が形成されるように設計されている。これも、外側反射鏡２１２ｏの口径ないし筒長と、外側ＬＥＤ２１１ｏの配置とを適宜調整することにより実現できる。
【００３９】  また、外側反射鏡２１２ｏは筐体であるフード２１３に収容されている。このフード２１３は、先端側が互いに当接する二重円筒となっており、スライドにより軸方向の長さを可変としている（図２ｂ参照）。これにより、外側反射鏡２１２ｏから出ていく光の広がりを現場にて簡便に調整可能としている（光の絞りが可能となる）。
【００４０】  また、図３に示したように、フード２１３先端外側にはツバ２３１が形成されており、光を外側に洩らさず、他の患者に影響を与えないようにしている。なお、フード２１３内側面は、つや消し黒に塗装され、不必要な反射が防止されるようにしている。
【００４１】  軸部２２は、軸２２１とタッチセンサ２２２とにより構成される。  軸２２１はフレキシブルパイプにより構成されており、自由に曲げてその姿勢を保持しライト部２１の位置決めもおこなう。実際に使用する際には、ヘッドライト１を耳掛けしたあと、フード２１３をもち、向きを変えるようにして好適な場所に位置あわせをする（軸２２１により基体部１０とライト部２１との位置関係および向きが保持される）。更に、軸２２１の先端は、フード２１３の基端部分への押し込みや基端部分からの引き出しが可能な構造としており、装着者は、自分がまぶしくないように適切な引き出し長さに調整をおこなう（図２ｂ参照）。
【００４２】  タッチセンサ２２２は、本実施の形態では、軸部２２の基端側に所定面積にて形成された金属パッドであり、静電容量スイッチ方式を採用している。装着者の指が触れることを検出する。タッチセンサ２２２は、次に説明する制御部３０と協働し、光源部２０の点灯等の制御をおこなう。
【００４３】  制御部３０は、基体部１０に埋め込まれており、ライト部２１のＯＮ／ＯＦＦ等の照明状態の制御やモード切替をおこなう。図４は、制御部３０を中心としたヘッドライト１の機能ブロック図である。制御部３０は、傾き検知部３１と、ＯＮ／ＯＦＦ部３２と、タッチ状態判定部３３と、モード切替部３４と、を有する。
【００４４】  傾き検知部３１は、加速度センサにより構成される。具体的には、ヘッドライト１を装着して起立した状態を基準として、頭部が何度傾いているか、より正確には、基体部１０が俯角として何度傾いているかを検知する。図５に作業姿勢と俯角についての概念図を示した。なお、仕様の態様により、頭を左右に振ることを検知して、これを点灯／消灯の制御信号に用いることもできる。
【００４５】  ＯＮ／ＯＦＦ部３２は、ライト部２１に電力供給をおこない、点灯と消灯の制御をおこなう。ここで、傾き検知部３１が俯角６０°を検知すると、ＯＮ／ＯＦＦ部３２は、内側ＬＥＤ２１１ｉを点灯する。実際、看護師などがベッドに寝ている患者を観察する場合は、腰をおり、頭は更に傾く姿勢となるので、俯角５０°以上により点灯させるようにすると、誤点灯が抑制され、患者にストレスを与えずに済む。  また、タッチセンサ２２２が所定時間の持続タッチを検知すると、ＯＮ／ＯＦＦ部３２は、内側ＬＥＤ２１１ｉおよび外側ＬＥＤ２１１ｏをフェードアウトしていき消灯する。
【００４６】  なお、本実施の形態では、電力は基体部１０に嵌挿されるボタン電池（図示せず）により供給される。反射鏡２１２により光の利用効率を高め、また、光源２１１にＬＥＤを用いているため、消費電力を少なくでき、ボタン電池でも実用的な使用時間を確保できる。ボタン電池を採用可能であるため、重くなることなく、電源一体型ヘッドライト１の提供が可能となる。
【００４７】  なお、仕様の態様により、バッテリーを別体として例えば白衣のパッチポケットに収容するようにしても良い。このとき、ヘッドライト１はいわゆる後ろがけであるので、コードを体の後ろ側で取り回し、コードが前側に垂れ下がって作業性が損なわれることがない。
【００４８】  タッチ状態判定部３３は、タッチセンサ２２２からのタッチ情報に基づき、そのタッチが、シングルタッチであるのか、ダブルタッチであるのか、トリプルタッチであるのか、また、タッチしたままの状態（持続タッチ）であるのか、を判定する。これは、所定時間内にタッチ信号が何回あったか、また、静電容量が変化し続けたままなのか、を判別することにより判定可能となる。なお、本実施の形態では、シングルタッチは誤動作回避の観点から使用しない。
【００４９】  モード切替部３４は、タッチ状態判定部３３の判定結果に基づき、適宜ＯＮ／ＯＦＦ部３２とも協働し、点灯消灯等の状態制御をおこなう。具体的には、ダブルタッチで点灯モードの循環的切替、トリプルタッチで消灯状態からの点灯制御、持続タッチで連続的または断続的な減光・消灯制御をおこなう。ここで、点灯モードの循環的切替とは、内側ＬＥＤ２１１ｉのみの点灯→２つの外側ＬＥＤ２１１ｏのうちの１つのみの点灯→２つの外側ＬＥＤ２１１ｏの点灯→内側ＬＥＤ２１１ｉと２つの外側ＬＥＤ２１１ｏの点灯→内側ＬＥＤ２１１ｉのみの点灯→・・・、をいう。なお、仕様の態様により、点灯状態におけるトリプルタッチを消灯制御に用いてもよい。
【００５０】  図６は、制御部３０の制御フローを示した図である。  まず、６０°の俯角を検知したかを判定する（ステップＳ１）。６０°の俯角を検知しなかった場合（Ｓ１：Ｎｏ）、トリプルタッチを検知したかを判定する（ステップＳ２）。トリプルタッチを検知しなかった場合（Ｓ２：Ｎｏ）、Ｓ１に戻る。
【００５１】  ６０°の俯角を検知した場合（Ｓ１：Ｙｅｓ）、または、トリプルタッチがあった場合すなわち装着者が体を起こした状態でバインダに数値やコメントを書き入れるときなど積極的に点灯させたいとき（Ｓ２：Ｙｅｓ）、内側ＬＥＤ２１１ｉのみを点灯する（ステップＳ３）。
【００５２】  続いて持続タッチがあったかを検知する（ステップＳ４）。持続タッチがあった場合（Ｓ４：Ｙｅｓ）、一定時間の持続タッチであるかを判定する（ステップＳ５）。一定時間未満である場合（ステップＳ５：Ｎｏ）、タッチ時間に応じた当該当該点灯モードにおける減光制御をおこない（ステップ６）、Ｓ４に戻る。一定時間以上であれば消灯する（ステップＳ７）。
【００５３】  持続タッチがない場合（Ｓ４：Ｎｏ）、ダブルタッチがあったかを検知する（ステップＳ８）。ダブルタッチがあった場合（Ｓ８：Ｙｅｓ）、順次モード切替をおこなう（ステップＳ９）。ダブルタッチがない場合（Ｓ８：Ｎｏ）、または、モード切替を終了した場合、Ｓ４に戻る。
【００５４】  以上説明したように、実施の形態１の発明によれば、使い勝手に優れ、患者にストレスを与えにくい医療従事者用ヘッドライトを提供することができる。
【００５５】  なお、本発明は、上記の態様に限定されない。例えば、左右両方にＬＥＤライトが備わっていてもよい。また、タッチセンサ２２２は、フード２１３部分に設けることもできる。
【００５６】  また、上記の例では、俯角６０°の検知またはトリプルタッチにより内側ＬＥＤ２１１ｉが点灯するが、徐々に明るくするフェードイン点灯制御とすれば、患者のストレスを更に低減することができる。
【００５７】＜実施の形態２＞  実施の形態２では、右側にＬＥＤライトが備わる医療従事者用ヘッドライトについて説明する。なお、実施の形態１と同様の構成には同一の符号を付し、その説明を適宜省略する。
【００５８】  図７は、実施の形態２のヘッドライトの斜視図である。図８は、光源部の前側を示した斜視図（ａ）と、側面図（ｂ）である。ヘッドライト２は、基体部１０と、光源部４０と、制御部３０と、により構成される。
【００５９】  基体部１０は、図示したように後ろ頭に沿った略Ｕ字の形状であって、左右の端部１１は、上に凸の孤を描き両耳への掛かりをよくし、全体としてヘッドライト２の頭部への保持性を高めている。
【００６０】  光源部４０は、ライト部４１と軸部４２とにより構成される。図８は、光源部の概要図である。ライト部４１は、ＬＥＤによる光源４１１と、レンズ４１２と、筐体４１３と、を有する。
【００６１】  筐体４１３は、略直方体形であって、装着時に前方に位置する面すなわち前面にレンズ４１２が嵌め込まれ、その奥に光源４１１が配されている。
【００６２】  光源４１１は、ＬＥＤを用いており、装着時に上側に位置する上側ＬＥＤ４１１ｕと下側に位置する下側ＬＥＤ４１１ｄとにより構成され、筐体４１３内に縦並びで配される。
【００６３】  ここで、上側ＬＥＤ４１１ｕは筐体４１３の前面上側に嵌め込まれたレンズ４１２ｕを介し左右１００°（片側５０°）、上下６０°（片側３０°）の楕円形に光を出射し、色温度は４０００Ｋ〜５０００Ｋ、３ｍ前方の照度が２ｌｘとなるように設計されている。  一方、下側ＬＥＤ４１１ｄは、筐体４１３の前面下側に嵌め込まれたレンズ４１２ｄにより０．４ｍ〜０．５ｍ先が焦点であって直径２００ｍｍの円形光が結像し、色温度が約３０００Ｋ、焦点位置における照度が１００ｌｘとなるように設計されている。  光の広がりとしては、上側ＬＥＤ４１１ｕの上下方向の広がりより、下側ＬＥＤ４１１ｄの広がりの方が更に狭い。
【００６４】  上側ＬＥＤ４１１ｕは、光の広がりが大きいものの、目の位置より上に配されることで、装着者の目に光が直接入ったり、眼鏡フレームに光が反射して目に入ったりことなく、使用感に優れる。また、下側ＬＥＤ４１１ｄは、ほぼ目線の高さに位置させることができるので見ている方向にスポットがあたり、この点も使用感に優れる。
【００６５】  なお、下側ＬＥＤ４１１ｄの方が色温度低いが、これは、看者の顔色や尿の色を適正に把握しなくてもよい場合などに、明るい暖色であるので特に好適に使用できる。
【００６６】  軸部４２は、フレキシブルパイプにより構成されており、自由に曲げてその姿勢を保持しライト部４１の位置決めもおこなう。すなわち、筐体４１３の姿勢ないし配向を決定する。軸部４２の先端は、筐体４１３の基端部分への押し込みや基端部分からの引き出しが可能な構造を採用しており、装着者は、自分がまぶしくないように適切な引き出し長さに調整をおこなう。
【００６７】  なお、筐体４１３には、タッチセンサ４１４が側面に設けてあり、装着者の指が触れることを検出する。タッチセンサ４１４は、制御部３０と協働し、光源部４０の点灯等の制御をおこなう。
【００６８】  制御部３０は、基体部１０に埋め込まれており、ライト部２１のＯＮ／ＯＦＦ等の照明状態の制御や点灯モードの切替をおこなう。すなわち、装着者がヘッドライト２を装着し、起立した状態を基準として６０°の俯角に至った場合、または、タッチセンサ４１４のダブルタッチを検知した場合に、上側ＬＥＤ４１１ｕを点灯する。また、制御部３０は、ＬＥＤ４１１の点灯中にダブルタッチを検知して、上側ＬＥＤ４１１ｕの点灯と下側ＬＥＤｄの点灯とを切り替える。また、タッチセンサ４１４が２秒間の接触（持続タッチ）を検知した場合には、消灯する制御をおこなう。
【００６９】  以上説明したように、実施の形態２の発明は、上側ＬＥＤ４１１ｕは、縦方向の広がりより横方向の広がりが大きな楕円形（長方形であってもよい）の光を照射し、下側ＬＥＤ４１１ｄは、上側ＬＥＤｕの縦方向の広がりよりも狭い広がりの略円形状の光を照射し、制御部３０は、上側ＬＥＤ４１１ｕのみの点灯モードと、下側ＬＥＤ４１１ｄのみの点灯モードとを備えており、医療従事者用のヘッドライトとして好適である。すなわち、使い勝手に優れ、患者にストレスを与えにくいヘッドライトの提供が可能である。
【００７０】  なお、筐体４１３の前面部分は、レンズ４１２と共に、またはレンズ４１２を残して、前方に延伸する構造も採用可能である。これにより、ＬＥＤ４１１の光の広がりを調製できる。
【産業上の利用可能性】
【００７１】  本発明は、夜間看護のみならず、照明を暗くして診察する耳鼻科医や眼科医等も好適に利用することができる。また、狭義の医療現場に限定されず、例えば、老人ホームやデイサービス、ショートステイ施設、また、保育園、幼稚園、託児所など、老人用福祉施設、幼児用児童用福祉施設でも利用することができる。  更には、夜間や暗所にて作業する建造物解体業に従事する者も利用することもできる。同様に、終夜運転する原発その他の電力事業所、製鉄所、化学プラント等に従事する者も利用することができる。
【符号の説明】
【００７２】１        ヘッドライト１０     基体部１１     端部２０     光源部２１     ライト部２１１  光源（２１１ｉ：内側ＬＥＤ、２１１ｏ：外側ＬＥＤ）２１２  反射鏡（２１２ｉ：内側反射鏡、２１２ｏ：外側反射鏡）２１３  フード２２     軸部２２１  軸２２２  タッチセンサ２３１  ツバ３０     制御部３１     傾き検知部３２     ＯＮ／ＯＦＦ部３３     タッチ状態判定部３４     モード切替部４０     光源部４１     ライト部４２     軸部４１１  光源（４１１ｕ：上側ＬＥＤ、４１１ｄ：下側ＬＥＤ）４１２  レンズ（４１２ｕ：上側レンズ、４１２ｄ：下側レンズ）４１３  筐体４１４  タッチセンサ
【図１】
2017126512.tif 000003
【図２】
2017126512.tif 000004
【図３】
2017126512.tif 000005
【図４】
2017126512.tif 000006
【図５】
2017126512.tif 000007
【図６】
2017126512.tif 000008
【図７】
2017126512.tif 000009
【図８】
2017126512.tif 000010
【国際調査報告】
2017126512.tif 000011
2017126512.tif 000012
2017126512.tif 000013
2017126512.tif 000014